(57)【要約】  保液性、液移行性、並びに、最適な吸気環境用の構造を有する植物栽培用素材は、天然パルプおよび／またはポリオレフィンパルプ等の合成パルプを含む。この植物栽培用素材によって、植物が生育に必要とする要素を必要時に必要量吸収しでき、植物の生育を促進させる栽培環境を提供することができる。
2013154053.tif 000002
【特許請求の範囲】
【請求項１】
植物が生育に必要とする要素を必要時に必要量吸収し、植物の生育を促進させる栽培環境を提供する植物栽培用素材。
【請求項２】
保液性と液移行性を有し、植物が生育に必要な要素を必要時に必要量吸収し、植物の生育を促進させる栽培環境を提供する植物栽培用素材。
【請求項３】
水や養液、農薬などの液体を保持し、本液体を円滑に移行させるための空孔を有し、植物が生育に必要な要素を必要時に必要量吸収し、植物の生育を促進させる栽培環境を提供する植物栽培用素材。
【請求項４】
水や養液、農薬などの液体を保持し、本液体を円滑に移行させるための空孔を有し、根の生え方をコントロール可能な層状構造を取り、植物が生育に必要な要素を必要時に必要量吸収し、植物の生育を促進させる栽培環境を提供する植物栽培用素材。
【請求項５】
水や養液、農薬などの液体を保持し、本液体を円滑に移行させるための空孔を有し、根が潤沢な空気を吸収できるように根の生え方をコントロール可能な層状構造を取り、植物が生育に必要な要素を必要時に必要量吸収し、植物の生育を促進させる栽培環境を提供する植物栽培用素材。
【請求項６】
請求項１〜５のいずれか１項に記載の植物栽培用素材を利用した植物栽培方法。
【発明の詳細な説明】
【技術分野】
【０００１】
本発明は植物栽培用素材及びそれを利用した植物栽培方法に関する。
【先行技術】
【０００２】
植物の生育を促進させる栽培方法は、これまで数多く報告されている。例えば、架橋ポリアクリルソーダゲルに代表される高吸水性ポリマー（特許文献１）、ポリビニルアルコールやポリウレタン及びポリスチレンに代表される発泡性樹脂（特許文献２）、不織布やマルチフィルムに代表される通気性フィルム及び多孔質フィルム（特許文献３及び特許文献４）を利用した栽培方法がある。
【０００３】
しかし、高吸水性ポリマーを利用した栽培方法は、植物の生育に応じて植物が必要とする水や養液を必要量供給できない場合があり、発泡性樹脂を利用した栽培方法では、植物の生育に必要な空気を十分供給することができない場合があり、通気性フィルムや多孔質フィルムを利用した栽培方法では、植物の生育に必要な水や養液を確保できず、植物に対し水や養液の安定供給ができない場合がある。
【０００４】
上記問題を解決するため、セラミックを利用した栽培方法（特許文献５）が見出されたが、植物の生育に必要な水や養液の供給能力がまだ不十分で、植物の生育に必要な要素を必要時に必要量吸収することができる植物栽培環境の提供ができていない。
【先行技術文献】
【特許文献】
【０００５】
【特許文献１】WO97／008938A
【特許文献２】特開2001-45895号公報
【特許文献３】特開2006-217874号公報
【特許文献４】特開2009-153398号公報
【特許文献５】特許第3044006号公報
【発明の概要】
【発明が解決しようとする課題】
【０００６】
本発明が解決しようとする課題は、植物の生育促進を目的とし、植物が、植物の生育に必要な要素を必要時に必要量吸収することができる植物栽培環境に適した植物栽培用素材とその素材を利用した植物栽培方法を提供することである。
【課題を解決するための手段】
【０００７】
本発明者らは上記課題について鋭意検討した結果、保液性と液移行性を有し、植物に適した呼吸環境の提供が可能な構造を有する素材を植物栽培に利用することにより、植物が、植物の生育に必要な要素を必要時に必要量吸収し、植物の生育を促進できることを見出した。【０００８】
上記課題を解決する本発明は以下に記載するものである。
（１）植物が生育に必要とする要素を必要時に必要量吸収し、植物の生育を促進させる栽培環境を提供する植物栽培用素材。
（２）保液性と液移行性を有し、植物が生育に必要な要素を必要時に必要量吸収し、植物の生育を促進させる栽培環境を提供する植物栽培用素材。
（３）水や養液、農薬などの液体（本明細書では、「本液体」と記載。）を保持し、本液体を円滑に移行させるための空孔を有し、植物が生育に必要な要素を必要時に必要量吸収し、植物の生育を促進させる栽培環境を提供する植物栽培用素材。
（４）水や養液、農薬などの液体を保持し、本液体を円滑に移行させるための空孔を有し、根の生え方をコントロール可能な層状構造を取り、植物が生育に必要な要素を必要時に必要量吸収し、植物の生育を促進させる栽培環境を提供する植物栽培用素材。
（５）水や養液、農薬などの液体を保持し、本液体を円滑に移行させるための空孔を有し、根が潤沢な空気を吸収できるように根の生え方をコントロール可能な層状構造を取り、植物が生育に必要な要素を必要時に必要量吸収し、植物の生育を促進させる栽培環境を提供する植物栽培用素材。
（６）（１）〜（５）のいずれか一項に記載の植物栽培用素材を利用した植物栽培方法。
【発明の効果】
【０００９】
本発明の植物栽培用素材およびそれを利用した植物栽培方法を利用することにより、植物は生育に必要な要素を必要時に必要量を吸収することが可能となるため、植物の生育が促進し、植物の増収および品質向上を実現することができる。更に、植物の生育に必要な要素の供給量を必要最小限に抑えることができる。
【図面の簡単な説明】
【００１０】
【図１】本発明にかかる植物栽培用素材での植物栽培の模式図である。
【発明を実施するための形態】
【００１１】
以下、本発明を詳細に説明する。
【００１２】
本発明は、植物の生育を促進させるため、植物の生育に必要な要素を必要時に必要量吸収できるよう保液性及び液移行性を有し、植物に適した呼吸環境の提供が可能な構造を有する植物栽培用素材（本明細書では、「本素材」と記載。）  と本素材を利用した植物栽培方法を提供する。
【００１３】
本素材とは、上記（１）〜（６）のいずれか一項に該当する素材、例えば、ポリエチレンやポリプロピレンなどのポリオレフィンなどから製造される合成パルプや天然パルプ、ポリエステルなどを単独で、もしくは複数を任意の割合で混合したもので構成される素材のことをさし、合成パルプに関しては、特許第3913421号明細書や特開2007-077519号公報などに記載のもので、特開昭53-1260号公報などに記載の方法で製造されるものが挙げられるが、これに限定されない。たとえば、合成パルプや天然パルプ、ポリエステルなどを単独、もしくは複数を任意の割合で混合したものを含むスラリーを調整し、定法を用いて単層あるいは複数層のシート状などに成形した素材を用いることができる。
【００１４】
以下、本発明実施形態の中で使用している用語について説明する。
（植物）
ワタなどのアオイ科植物、テンサイなどのアカザ科植物、ナタネやキャベツなどのアブラナ科植物、トウモロコシやコムギ、コメなどのイネ科植物、キュウリやカボチャなどのウリ科植物、レタスやベニバナなどのキク科植物、ニンジンなどのセリ科植物、トウゴマやキャッサバなどのトウダイグサ科植物、ナスやトマトなどのナス科植物、イチゴやリンゴなどのバラ科植物、ダイズなどのマメ科植物、オレンジやレモンなどのミカン科植物など種々の植物をさすが、これに限定されない。
（種子）
種子植物の有性生殖により作られる散布体で、内部に受精卵から発育した幼い植物体である胚を含んでいるものをさす。また、組織培養などから得られる不定胚を、ゼラチンや樹脂などに包埋させた人工的なものもさす。
（種苗）
根、茎、葉を有する植物体や、そのうち１つないし２つを欠いた状態で、養生することにより完全な植物体へと再生することが可能な状態の植物体片をさす。
（栽培）
植物の播種から成熟期までの任意のステージで植物を人工的に生育させることをさす。例えば、播種から成熟期までの全部または一部の期間にわたって植物を人工的に生育させることであり、以下の各段階及びその２つ以上の組み合わせによる栽培を挙げることができる。
（１）播種から成熟期まで
（２）苗から成熟期まで
（３）種子から苗まで
（４）苗の段階を経て目的とする成熟期前まで他の場所で栽培し、その段階から成熟期まで
（５）苗から目的とする成熟期前の段階まで（成熟期までは他の場所で栽培する）。
【００１５】
成熟期までの栽培には、目的とする植物体またはその植物体の果実、花、葉、芽、枝、幹、根、球根などのその一部の少なくとも１種が収穫可能な状態となる成熟期、もしくはその植物体から種子や種苗が採取可能な状態となるまで生育させることが含まれる。
（発芽）
種子やむかご、球根などの内部や表面から、葉、茎および／または根などが伸び出てくることをさす。
（促進）
先行技術に比べ、生育が早い、発芽率が高い、生存率が高い、植物体量もしくは収穫量が多い、及び品質（糖度など）が高いなど、植物が優位に生育することをさす。
【００１６】
（植物の生育に必要な要素）
水や肥料及び空気など植物の生育に必要不可欠なものや、農薬など植物の生育の障害となる害虫や病気などの防除に必要なものをさすが、これに限定されない（本明細書では、「本要素」と記載。）。
（必要時に必要量吸収する）
植物の生育の過程において、本要素を植物が吸収したい時に吸収したい量を吸収すること。すなわち、本要素の吸収を植物に依存させることをさす。
（保液性）
本素材の中に、本要素を含む液体を保持する性質をさし、その保持率は液体を含む本素材中の液体含有率（重量基準）が、30%以上95%以下であることが好ましく、より好ましくは40%以上80%以下である。
（液移行性）
本素材の中を、本要素を含む液体を容易に移行させる性質をさし、その移行速度は、本素材1cm3あたり毎時0.01mL以上が好ましく、より好ましくは、本素材1cm3あたり毎時0.1mL以上である。
（肥料）
植物の生育に必要不可欠な栄養となるもの。肥料の三要素といわれる窒素やリン酸及びカリウムなどを少なくとも１種類以上含み、液状もしくは固形物を水に溶解して液状（乳化状、懸濁状などを含む）にしたものをさす（本明細書では、「養液」と記載。）。
【００１７】
養液の種類としては、例えば、硫安、塩安、硝安、尿素、石灰窒素及び硝酸カリなどの窒素肥料、過リン酸石灰、重過リン酸石灰及び熔成リン肥などのリン酸肥料、塩化カリや硫酸カリなどのカリ肥料、及び単肥や化成肥料及び配合肥料などの化学肥料、生石灰や消石灰及び炭酸カルシウム肥料などの石灰質肥料、鉱さいケイ酸肥料などのケイ酸肥料、硫酸マンガン肥料や鉱さいマンガン肥料などのマンガン肥料、ホウ酸塩肥料などのホウ酸肥料、熔成微量要素複合肥料などの微量要素複合肥料など、及びこれらもしくは以下に記載する農薬などとの混合肥料があるが、これに限定されない。これらの溶液の成分は必要に応じて選択した１種を、あるいは２種以上組み合わせて用いることができる。
（農薬）
植物の生育の障害となる害虫や病気などの防除に必要な薬剤で、液状もしくは固形物を水に溶解して液状（乳化状、懸濁状などを含む）にしたものをさす。
【００１８】
農薬には、殺虫剤、殺ダニ剤、殺線虫剤、殺菌剤、除草剤及び植物成長調整剤があり、それぞれ単剤及び混合剤がある。単剤とは単一の有効成分が含有されている農薬のことであり、混合剤とは下記の殺虫剤、殺ダニ剤、殺線虫剤、殺菌剤、除草剤の有効成分の２種以上を各々任意で混合したもの及び下記の殺虫剤と殺菌剤を任意で混合したものをさすが、これに限定されない。
【００１９】
殺虫剤や殺ダニ剤、殺線虫剤の有効成分としては、アセフェートやフェニトロチオンなどの有機リン系、メソミルやベンフラカルブなどのカーバメート系、フィプロニルなどのピラゾール系、イミダクロプリドやジノテフランなどのネオニコチノイド系、ミルベメクチンやスピノサドの天然物系、その他、クロラントラニリプロールやシアントラニリプロールなどの浸透移行性もしくは水溶性を有する物質をさすが、これに限定されない。
【００２０】
殺菌剤の有効成分としては、チラウムやマンゼブなどのカーバメート系、アゾキシストロビンやクレソキシム・メチルなどのストロビルリン系、トリフルミゾールやテブコナゾール、シメコナゾールなどのアゾール系、カスガマイシンやストレプトマイシンなどの天然物系、その他、浸透移行性もしくは水溶性を有する物質をさすが、これに限定されない。
【００２１】
除草剤や植物成長調整剤の有効成分としては、グリホサートやグルホシネートなどのリン酸系、チフェンスルフロン・メチルなどのスルホニルウレア系、硝酸アンモニウムや硫酸アンモニウムなどの無機系、スルコトリオンやメソトリオンなどのトリケトン系、ピラゾレートやピラスルホトールなどのピラゾレート系、スルフェントラゾンやアミカルバゾンなどのトリアゾロン系、イソキサクロルトールなどのイソキサゾール系、サイトカイニンやジベレリンなどの天然物系、その他、浸透移行性もしくは水溶性を有する物質をさすが、これに限定されない。
【００２２】
なお、浸透移行性とは、植物の根・茎・葉から吸収されて植物体内を移行する特性のことをさす。
（空孔）
本要素を含む液体が本素材の中を移行するための空間であり、植物の種子が入り込まず、かつ、空孔内部の表面張力及び毛細管現象による液移行性を有する大きさのものをさす。具体的には、10μmφ以下の空孔が本素材中に存在する空孔の50%以上（容積基準）を占めることが好ましく、より好ましくは10μmφ以下の空孔が本素材中に存在する空孔の90%以上（容積基準）を占めることである。
（根の生え方のコントロール）
植物の根を本素材の内側および／または外側で植物の生育に適した状態に伸長させ、本要素を植物が必要時に必要量吸収できるような根の環境を作り上げる手法をいい、本素材が持つ層状構造に起因する。
（層状構造）
本素材を構成する物質が、二次元的に連続もしくは不連続に絡みあってできた平面構造が、この平面構造の層厚方向（各層からなる平面構造に交差する方向）に重なってできた三次元構造をいう。各層の厚みは0.01mm以上が好ましく、より好ましくは0.1mm以上であり、層の数は2層以上が好ましい。本素材全体としての厚さは、5,000m以下が好ましく、より好ましくは500m以下である。
（栽培方法）
本素材を用いた植物栽培方法によれば、植物が必要とする要素を植物に供給可能な状態にある本素材を利用して植物を播種から成熟期までの任意のステージにわたり植物を栽培することができる。この播種から成熟期までの任意のステージについては先に「栽培」の項で説明したとおりである。
【００２３】
本素材の形状や大きさは、特に限定されないが、栽培対象である植物の成熟期までにおいて、植物体の良好な成長方向や根張り状態などを確保できるように植物体の生育に応じて適宜選択できる。たとえば、少なくとも播種可能な表面と、根が成長可能な部分を有するように、本素材をシート状、マット状、立方体および／または直方体状、円柱状などの種々の形状として利用することができる。
【００２４】
本素材を配置する場所は、植物の栽培目的に応じて適宜選択することできる。たとえば、栽培目的に応じた容器中に本素材を配置し、本素材を介して植物が必要とする要素を植物に供給可能な状態として、本素材に播種を行い成熟期まで成長させることができる。
【００２５】
容器中に配置した本素材への植物が必要とする要素の供給は、容器中に充填した要素を本素材へ移行させる方法、本素材中に予め充填しておいた要素により行う方法、これらを併用した方法などにより行うことができる。たとえば、本素材中を浸透可能な本液体を容器内に充填し、本液体に本素材を接触させて本素材中に浸透させて要素を植物に供給することができる。必要に応じて容器内へ本液体を補充してしてもよい。この本液体の容器内への補充は、連続的に、あるいは、間隔を置いて行うことができる。
【００２６】
図１に模式的に示すように、直方体形状の本素材１を容器２内の本液体に部分的に浸漬し、本素材１の空気中に露出させた上面において播種から植物を成長させることができる。なお、本素材の播種面には、畝状の凹凸構造や、播種用の窪みなどを設けることもできる。
【００２７】
図１に示すように本素材１が層状構造を有する場合には、層厚方向（各層からなる平面構造に交差する方向）に植物を成長させる一方で、層状構造の層厚方向に伸びる根に加えて、層厚方向と交差する方向（各層の平面構造に沿った方向）に伸びる根についても効果的に成長させることで、しっかりとした根張り状態を確保して安定した栽培状態を得ることができる。なお、本素材における層状構造における層厚方向と植物の成長方向との関係は、図１に示した関係に限定されず、目的とする栽培状態が得られるように適宜設定することができる。また、必要に応じて、植物の支えや成長方向を支持するガイド、あるいは本素材１の容器中での位置を固定する支持構造を用いてもよい。
【００２８】
容器を設置する場所は、たとえば土壌中などの自然環境中、温度および／または湿度などの栽培条件を制御可能な栽培室、ハウス、栽培装置内など、栽培目的に応じて適宜選択可能である。
【実施例】
【００２９】
次に、実施例により本発明を具体的に説明するが、本説明は以下の実施例に限定されるものではない。
（実施例１）
合成パルプ（三井化学製SWP（登録商標）：E400）を80mm×100mm×高さ65mm角の直方体に調製して栽培ケースに注いだ水の液面に浮べ、合成パルプの表面にコムギを播種してその生育を観察した。生育結果を表１に示す。【００３０】
【表１】
2013154053.tif 000003
【００３１】
（実施例２）
合成パルプ（三井化学製SWP（登録商標）：E400）を80mm×100mm×高さ65mm角の直方体に調製して栽培ケースに注いだ養液（組成を表２に示す）の液面に浮べ、合成パルプの表面にコムギを播種してその生育を観察した。生育結果と養液消費量を表３に示す。【００３２】
【表２】
2013154053.tif 000004
【００３３】
【表３】
2013154053.tif 000005
【００３４】
（実施例３）
合成パルプ（三井化学製SWP（登録商標）：E400）を300mm×360mm×高さ100mm角の直方体に調製して栽培ケースに注いだ養液（組成を表４に示す）の液面に浮べ、合成パルプの表面にミニトマトを播種してその生育を観察した。また、井内盛栄堂製手持屈折計IATC-1E（Brix0〜32%）を用いて結実したミニトマトの果肉の糖度を測定した。生育結果と糖度測定結果を表５に示す。【００３５】
【表４】
2013154053.tif 000006
【００３６】
【表５】
2013154053.tif 000007
【００３７】
（実施例４〜１４）
実施例２と同様の方法で、リーフレタス、ナタネ、ワスレナグサ、ヒナゲシ、ヤマザクラ、クスノキ、ネムノキ、ニゲラ、コリアンダー、ダイズおよびアカシソを播種してそれぞれの生育を観察した。生育結果と養液消費量を表６〜１６に示す。【００３８】
【表６】
2013154053.tif 000008
【００３９】
【表７】
2013154053.tif 000009
【００４０】
【表８】
2013154053.tif 000010
【００４１】
【表９】
2013154053.tif 000011
【００４２】
【表１０】
2013154053.tif 000012
【００４３】
【表１１】
2013154053.tif 000013
【００４４】
【表１２】
2013154053.tif 000014
【００４５】
【表１３】
2013154053.tif 000015
【００４６】
【表１４】
2013154053.tif 000016
【００４７】
【表１５】
2013154053.tif 000017
【００４８】
【表１６】
2013154053.tif 000018
【００４９】
【表１７】
2013154053.tif 000019
【００５０】
【表１８】
2013154053.tif 000020
【００５１】
【表１９】
2013154053.tif 000021
【００５２】
（実施例１５）
合成パルプ（三井化学製SWP（登録商標）：E400）を65mm×65mm×高さ95mm角の直方体に調製して栽培ケースに注いだ養液（組成を表２に示す）の液面に浮べ、合成パルプの表面にナデシコを播種してその生育を観察した。生育結果を表１７に示す。【００５３】
【表２０】
2013154053.tif 000022
【００５４】
（実施例１６）
合成パルプ（三井化学製SWP（登録商標）：E400）を500mm×340mm×高さ150mm角の直方体に調製して栽培ケースに注いだ養液（組成を表１８に示す）の液面に浮べ、合成パルプの表面に種子を受けることができる大きさの穴を開けてトウモロコシを播種して結実までの生育を観察した。生育結果を表１９に示す。【００５５】
【表２１】
2013154053.tif 000023
【００５６】
【表２２】
2013154053.tif 000024
【００５７】
（実施例１７）
合成パルプ（三井化学製SWP（登録商標）：E400）を260mm×110mm×高さ150mm角の直方体に調製して栽培ケースに注いだ養液（組成を表１８に示す）の液面に浮べ、合成パルプの表面に種子を受けることができる大きさの穴を開けてイネ（日本晴）を播種して成熟期までの生育を観察した。生育結果を表２０に示す。【００５８】
【表２３】
2013154053.tif 000025
【００５９】
（実施例１８）
合成パルプ（三井化学製SWP（登録商標）：E400）を500mm×340mm×高さ150mm角の直方体に調製して栽培ケースに注いだ養液（組成を表１８に示す）の液面に浮べ、合成パルプの表面に種子を受けることができる大きさの穴を開けてソルガムを播種して結実までの生育を観察した。生育結果を表２１に示す。【００６０】
【表２４】
2013154053.tif 000026
【００６１】
（実施例１９〜２０）
実施例１８と同様の方法で、ワタおよびナタネを播種してそれぞれの生育を観察した。生育結果をそれぞれ表２２〜２３に示す。【００６２】
【表２５】
2013154053.tif 000027
【００６３】
【表２６】
2013154053.tif 000028
【００６４】
（実施例２１）
合成パルプ（三井化学製SWP（登録商標）：E400）を400mm×200mm×高さ5mm角の直方体に調製して栽培ケースに注いだ養液（組成を表１８に示す）の液面に浮べ、合成パルプの表面にケンタッキーブルーグラスを播種してその生育を観察した。生育結果を表２４に示す。【００６５】
【表２７】
2013154053.tif 000029
【００６６】
（実施例２２）
天然パルプと合成パルプを混合して作られた合成紙を80mm×100mm×高さ65mm角の直方体に調製して栽培ケースに注いだ養液（組成を表２に示す）の液面に浮べ、合成紙の表面にコムギを播種してその生育を観察した。生育結果と養液消費量を表２５に示す。
【００６７】
【表２８】
2013154053.tif 000030
【００６８】
（実施例２３）
天然パルプを加工して作られた天然パルプ紙を80mm×100mm×高さ65mm角の直方体に調製して栽培ケースに注いだ養液（組成を表２に示す）の液面に浮べ、合成紙の表面にコムギを播種してその生育を観察した。生育結果と養液消費量を表２６に示す。【００６９】
【表２９】
2013154053.tif 000031
【００７０】
（実施例２４）
ポリエステルと天然パルプを配合したポリエステル紙を80mm×100mm×高さ65mm角の直方体に調製して栽培ケースに注いだ養液（組成を表２に示す）の液面に浮べ、合成紙の表面にコムギを播種してその生育を観察した。生育結果と養液消費量を表２７に示す。【００７１】
【表３０】
2013154053.tif 000032
【００７２】
実施例１、２および１６と同様の方法により栽培できる植物を表２８に示すが、これに限定されない。【００７３】
【表３１】
2013154053.tif 000033
【００７４】
【表３２】
2013154053.tif 000034
【００７５】
【表３３】
2013154053.tif 000035
【００７６】
【表３４】
2013154053.tif 000036
【００７７】
（実施例２５）
合成パルプ（三井化学製SWP（登録商標）：E400）を100mm×100mm×高さ100mm角の立方体に調製して栽培ケースに注いだ養液（組成を表１８に示す）の液面に浮べ、合成パルプの上部表面に20mm×20mm×深さ10mm角の穴を開けてソラマメを播種した（播種日：2012年5月31日）。播種22日後、植物体長が約200mmに成長した時点でソラマメにマメアブラムシを放虫し、放虫7日後、10mgのジノテフラン（三井化学アグロ製、ネオニコチノイド系殺虫剤）を1,000mLの養液に溶解した水溶液を調整してシリンジで合成パルプに注入した。水溶液注入前と水溶液注入4日後のマメアブラムシの生存虫数を比較し、ジノテフランのマメアブラムシに対する殺虫効果を確認した。結果を表２９に示す。【００７８】
【表３５】
2013154053.tif 000037
【００７９】
（実施例２６）
合成パルプ（三井化学製SWP（登録商標）：E400）を100mm×100mm×高さ100mm角の立方体に調製して栽培ケースに注いだ養液（組成を表１８に示す）の液面に浮べ、合成パルプの上部表面に20mm×20mm×深さ10mm角の穴を開けてソラマメを播種した（播種日：2012年5月31日）。播種22日後、植物体長が約200mmに成長した時点でソラマメにマメアブラムシを放虫し、放虫7日後、1.5mgのジノテフラン（三井化学アグロ製、ネオニコチノイド系殺虫剤）を500mLの養液に溶解した水溶液を調整して栽培ケース内に残存する養液と混合した。水溶液混合前と水溶液混合4日後のマメアブラムシの生存虫数を比較し、ジノテフランのマメアブラムシに対する殺虫効果を確認した。結果を表３０に示す。【００８０】
【表３６】
2013154053.tif 000038
【００８１】
（参考例１）
ハイトカルチャ（株）製セラミック（内径：20mmφ×外径：28mmφ×高さ80mmの中空円柱状セラミック）を栽培ケースに注いだ養液（組成を表２に示す）中に浸し、セラミックの内部表面にコムギを播種してその生育を観察した（播種日：2012年1月6日）。また、生育中に消費された養液量も測定した。生育結果と養液消費量を実施例２の結果と対比して表３１に示す。【００８２】
【表３７】
2013154053.tif 000039
【００８３】
（参考例２）
メビオール（株）製スカイジェル（0.64g）に重量比100倍の養液（組成を表２に示す）を吸水保持させたものを40mm角の立方体に調製してスカイジェルの表面にコムギを播種した後、スカイジェルが乾燥して体積が半分程度になる都度養液を補充してその生育を観察した（播種日：2011年11月29日）。生育結果を実施例２の結果と対比して表３２に示す。【００８４】
【表３８】
2013154053.tif 000040
【００８５】
（参考例３）
市販のポリビニルアルコール（PVA）を70mm×70mm×高さ35mm角の直方体に調製して栽培ケースに注いだ養液（組成を表２に示す）中に浸し、PVAの表面にコムギを播種してその生育を観察した（播種日：2011年11月29日）。生育結果を実施例２の結果と対比して表３３に示す。【００８６】
【表３９】
2013154053.tif 000041
【００８７】
（参考例４）
アキレス（株）製ムマック（ポリウレタン）を100mm×100mm×高さ25mm角の直方体に調製して栽培ケースに注いだ養液（組成を表２に示す）中に浸し、ポリウレタンの表面にコムギを播種してその生育を観察した（播種日：2011年11月29日）。生育結果を実施例２の結果と対比して表３４に示す。【００８８】
【表４０】
2013154053.tif 000042
【００８９】
（参考例５）
市販の不織布を80mm×10mm×高さ0.1mm四方の長方形に調製して栽培ケースに注いだ養液（組成を表２に示す）に浮かし、不織布の表面にコムギを播種してその生育を観察した（播種日：2011年12月20日）。また、生育中に消費された養液量も測定した。生育結果と養液消費量を実施例２の結果と対比して表３５に示す。【００９０】
【表４１】
2013154053.tif 000043
【００９１】
（参考例６）
グロダン社製グロトップマスター（ロックウール）を80mm×100mm×高さ75mm角の直方体に調製して栽培ケースに注いだ養液（組成を表２に示す）中に浸し、ロックウールの表面にコムギを播種してその生育を観察した（播種日：2011年12月20日）。また、生育中に消費された養液量も測定した。生育結果と養液消費量を実施例２の結果と対比して表３６に示す。【００９２】
【表４２】
2013154053.tif 000044
【００９３】
（参考例７）
ハイトカルチャ（株）製セラミックを栽培ケースに注いだ養液（組成を表４に示す）中に浸し、セラミックの表面にミニトマトを播種した。ミニトマト結実後、手持屈折計IATC-1E（Brix0〜32%）を用いてミニトマトの果肉の糖度を測定した。測定結果を実施例３の結果と対比して表３７に示す。【００９４】
【表４３】
2013154053.tif 000045
【００９５】
（参考例８）
合成パルプ（三井化学製SWP（登録商標）：E400）を100mm×100mm×高さ100mm角の立方体に調製して栽培ケースに注いだ養液（組成を表１８に示す）の液面に浮べ、合成パルプの上部表面に、20mm×20mm×深さ10mm角の穴を開けてソラマメを播種した（播種日：2012年5月31日）。播種22日後、植物体長が約200mmに成長した時点でソラマメにマメアブラムシを放虫し、マメアブラムシの生存虫数の推移を観察した。結果を実施例２５〜２６の生存虫数と対比して表３８に示す。【００９６】
【表４４】
2013154053.tif 000046
【符号の説明】
【００９７】
１．本素材
２．水、養液、農薬などの液体
３．植物（例）
【図１】
2013154053.tif 000047
【国際調査報告】
2013154053.tif 000048
2013154053.tif 000049
2013154053.tif 000050
2013154053.tif 000051